(57)【要約】【課題】  画像データの取り込みが容易な表示器を提供する。【解決手段】  デバイスを制御する機能とデバイスのための制御信号を出力してその制御信号に基づく動作に対応する状態を表示する表示器を実現する制御部が実行する処理は、デジタルカメラの接続を検知するステップ（Ｓ６１０）と、メモリからメニューデータを読み出すステップ（Ｓ６２０）と、メニューデータをモニタに出力するステップ（Ｓ６３０）とを含む。【選択図】        図６
2005266688.tif 000002
【特許請求の範囲】
【請求項１】
デバイスを制御するための制御信号を出力する制御信号出力手段と、
前記制御信号に基づく動作に対応する少なくとも１つ以上の状態信号の入力を受け付けるための状態信号入力手段と、
予め定められた規格に基づいて、外部とのデータ通信のインターフェースをとるための接続手段と、
前記接続手段を介して、画像データの入力を受け付けるための入力手段と、
前記画像データへのアクセスのためのメニュー画面を表示する画面表示データと、前記状態信号に関連付けられ、デバイスの状態を表わす状態画像を表示するための画像表示データとを記憶する記憶手段と、
前記画像表示データに基づいて、前記状態画像を表示するための表示手段と、
デジタル形式の画像データを出力する撮像装置が前記接続手段に接続されたことを検出するための検出手段と、
前記撮像装置の接続の検出に応じて、前記画面表示データに基づいて、前記状態画像の表示から、前記メニュー画面の表示へ切り替えるように、前記表示手段を制御するための制御手段とを含む、表示器。
【請求項２】
前記表示器は、
指示の入力を受け付けるための指示入力手段と、
前記指示の入力に基づいて、前記画像データを前記状態信号に関連付けるための関連付け手段とをさらに含む、請求項１に記載の表示器。
【請求項３】
前記状態信号入力手段は、複数の前記状態信号の入力を受け付け、
前記制御手段は、前記表示手段に、複数の前記状態画像を表示させ、
前記指示入力手段は、
複数の前記状態画像から、１つの前記状態画像を選択する指示の入力を受け付ける手段と、
選択された前記状態画像に前記画像データを関連付けるリンク指示の入力を受け付けるリンク指示入力手段とを含み、
前記関連付け手段は、前記リンク指示が入力されると、選択された前記状態画像に対応する状態信号に前記画像データを関連付ける、請求項２に記載の表示器。
【請求項４】
前記リンク指示入力手段は、複数の前記画像データを、選択された前記状態画像に関連付ける複数リンク指示の入力を受け付け、
前記関連付け手段は、前記複数リンク指示が入力されると、選択された前記状態画像に対応する状態信号に、複数の前記画像データを関連付ける、請求項３に記載の表示器。
【請求項５】
前記指示入力手段は、外部からテキストデータの入力を受け付けるための手段をさらに含み、
前記表示器は、前記テキストデータを前記画像データに関連付けるためのテキストデータ関連付け手段をさらに含む、請求項３に記載の表示器。
【請求項６】
前記表示器は、指示の入力を受け付けるための指示入力手段とをさらに含み、
前記制御手段は、
前記指示の入力に応じて、前記撮像装置に格納されているデータに基づいて、前記撮像装置に格納されている画像データの一覧を表示するための一覧データを取得するための一覧データ取得手段と、
前記一覧データに基づいて、前記一覧を表示するための画面を前記表示手段に表示させるための手段とをさらに含む、請求項１に記載の表示器。
【請求項７】
画像の表示手段を備えたコンピュータを、デバイスの状態を表示する機能と前記デバイスを制御する機能を有する表示器として機能させるためのプログラムであって、前記プログラムは前記コンピュータに、
デバイスを制御するための制御信号を出力するステップと、
前記制御信号に基づく動作に対応する少なくとも１つ以上の状態信号の入力を受け付けるステップと、
予め定められた規格に基づいて、外部とのデータ通信のインターフェースをとるステップと、
画像データの入力を受け付けるステップと、
前記画像データへのアクセスのためのメニュー画面を表示する画面表示データと、前記状態信号に関連付けられ、デバイスの状態を表わす状態画像を表示するための画像表示データとを予め準備するステップと、
前記画像表示データに基づいて、前記表示手段に前記状態画像を表示させるステップと、
デジタル形式の画像データを出力する撮像装置が前記接続ステップに接続されたことを検出するステップと、
前記撮像装置の接続の検出に応じて、前記画面表示データに基づいて、前記状態画像の表示から、前記メニュー画面の表示へ切り替えるように、前記表示手段を制御するステップとを実行させる、プログラム。
【請求項８】
請求項７に記載のプログラムを格納した、コンピュータ読取可能な記録媒体。
【発明の詳細な説明】
【技術分野】
【０００１】
本発明は、表示器における制御に関し、特に、デジタル画像データを出力可能な撮像装置の接続に応答して、画像データへのアクセス画面を表示する表示器、その表示処理を実行可能な表示器としてコンピュータを機能させるためのプログラム、およびそのプログラムを格納した記録媒体に関する。
【背景技術】
【０００２】
従来、デバイスのインターフェース装置として、プログラマブル表示器が使用されている。このプログラマブル表示器は、デバイスから出力される信号に基づいて、デバイスの状態を表示する。この信号には、デバイスが正常に作動しているか否かを表わすためのデータが含まれている。この表示器がデバイスの異常を検知した場合、表示器は、デバイスに対する特定の指令の表示画像（たとえば記号あるいはアイコン等）を点滅して表示することにより、あるいは表示色を変更することにより、その異常を報知する。デバイスの管理者は、その異常を表示器において認識すると、異常発生箇所（たとえば搬送、検査その他の工程）を確認することができる。
【０００３】
このような表示器に対して、管理者が記録すべき情報を入手した場合には、たとえば作業日誌その他の業務記録に記録し、解決すべき問題点として他の管理者等との間でその情報を共有する。従来、この情報は、手書きのメモとして記録されており、検知された異常と共に情報を記入することが、管理者に負担となる場合があった。
【０００４】
そこで、たとえば特開平７−１３４７６４号公報（特許文献１）は、手書き入力可能な画像入力システムを開示する。このシステムは、手書き入力コンピュータを接続するための接続部と、画像データを転送できるデジタルカメラと、手書き入力コンピュータのメモリに、デジタルカメラに格納されている画像データを格納する格納部とを含む。
【０００５】
上記の画像入力システムによると、手書き入力コンピュータとデジタルカメラとは予め接続されている。デジタルカメラは画像データを転送する機能を有する。したがって、デジタルカメラが生成した画像データは、手書き入力コンピュータのメモリに容易に格納される。したがって、使用者は、手書き入力コンピュータにその画像データに基づく画像を表示させることにより、さらに情報を入力することができる。このようにすると、メモ情報の入力の負担を小さくしつつ、画像データにメモ情報を対応付けて記憶することができる。
【特許文献１】特開平７−１３４７６４号公報
【発明の開示】
【発明が解決しようとする課題】
【０００６】
しかしながら、特許文献１に開示された画像入力システムによると、デジタルカメラと手書き入力コンピュータとは予め接続されている。そのため、たとえば一般の構成を有するコンピュータにプログラムをインストールすることにより機能が実現される表示器は、特許文献１に開示された構成を使用することができない。
【０００７】
また、上記の表示器は、デバイスの状態を表示する機能を主機能とするため、メモリにデバイスの状態データを格納することが多く、画像データは、必要に応じて入力される場合が多い。その場合、画像データを表示器に取り込むための手続が必要となる。この場合、たとえばＵＳＢ（Universal Serial Bus）規格等により、デジタル機器間の接続そのものは、これまでよりは容易になっているが、画像データを取り込み、取り込んだ画像データを他のデータ、たとえばデバイスの状態を表わす状態データに関連付けるためには、ユーザは、予め定められた手続を実行する必要がある。この手続には、たとえば撮像装置から表示器への画像データの転送、画像データの表示、状態データの表示、画像データと状態データとの関連付け等が含まれる。
【０００８】
ユーザの中には、これらの手続に慣れたユーザもいれば、その手続に不慣れなユーザもいる。また、急を要する場合には、手続に慣れたユーザであっても、上記の手続をするために最小限の時間を必要とする。また、設定を急ぐあまり、誤って設定することにより、設定のやり直しが強いられる場合もある。そのため、画像データの取り込み、あるいは画像データと、表示器に格納されている他のデータとの関連付けを簡便に実行したいという要請があった。
【０００９】
また、デバイスから得られる状態のデータの中には、複数の画像データ、たとえば時系列的に取得される画像データを、まとめて特定の状態データに関連付けることが望ましい場合もある。たとえば、デバイスの異常時から正常復帰時まで、そのデバイスの稼動状況の変化を表わす画像データを異常時の状態データに関連付けて、異常の原因の分析を支援する場合がある。あるいは、プラント設備など時系列の変化を特に監視する必要があるデバイスに関し、その時系列順に取得された画像データを特定の状態データに関連付けて状態の変化を監視する場合がある。
【００１０】
しかしながら、特許文献１に開示されたシステムによると、画像データに関連付けられる入力データは、使用者の操作によって初めて入力される。そのため、表示器のように状態データが逐次入力される装置に対しては、適用することができなかった。
【００１１】
また、特定の入力データを複数の画像データに関連付けるためには、各画像データごとに入力データを入力するか、複製する必要があり、必ずしも操作性の向上には寄与し得なかった。
【００１２】
本発明は、上述の問題点を解決するためになされたものであって、その目的は、画像データの取込時の操作性を向上させることができる表示器を提供することである。
【００１３】
本発明の他の目的は、表示器が状態を表示するデバイスのデータと、複数の画像データとの関連付けを容易に実行することができる表示器を提供することである。
【００１４】
本発明の他の目的は、画像データの取込時の操作性を向上させることができる表示器としてコンピュータを機能させることができるプログラムを提供することである。
【００１５】
本発明のさらに他の目的は、画像データの取込時の操作性を向上させることができる表示器としてコンピュータを機能させることができるプログラムを格納した記録媒体を提供することである。
【課題を解決するための手段】
【００１６】
上記の課題を解決するために、この発明のある局面に従うと、表示器は、デバイスを制御するための制御信号を出力する制御信号出力手段と、制御信号に基づく動作に対応する少なくとも１つ以上の状態信号の入力を受け付けるための状態信号入力手段と、予め定められた規格に基づいて、外部とのデータ通信のインターフェースをとるための接続手段と、接続手段を介して、画像データの入力を受け付けるための入力手段と、画像データへのアクセスのためのメニュー画面を表示する画面表示データと、状態信号に関連付けられ、デバイスの状態を表わす状態画像を表示するための画像表示データとを記憶する記憶手段と、画像表示データに基づいて、状態画像を表示するための表示手段と、デジタル形式の画像データを出力する撮像装置が接続手段に接続されたことを検出するための検出手段と、撮像装置の接続の検出に応じて、画面表示データに基づいて、状態画像の表示から、メニュー画面の表示へ切り替えるように、表示手段を制御するための制御手段とを含む。
【００１７】
上記の構成を有する表示器によると、撮像装置（たとえばデジタルカメラ）が表示器に接続されると、表示手段は、撮像装置に格納されている画像データへのアクセスのためのメニュー画面を表示する。これにより、使用者は、複雑な操作を実行することなく、画像データの処理（たとえば転送処理等）を実行することができる。
【００１８】
好ましくは、表示器は、指示の入力を受け付けるための指示入力手段と、指示の入力に基づいて、画像データを状態信号に関連付けるための関連付け手段とをさらに含む。
【００１９】
上記の表示器によると、画像データが状態信号に対応付けられるため、状態信号のみに基づいてデバイスの稼動状態を分析する場合に比べて、詳細な分析が可能になる。
【００２０】
好ましくは、状態信号入力手段は、複数の状態信号の入力を受け付ける。制御手段は、表示手段に、複数の状態画像を表示させる。指示入力手段は、複数の状態画像から、１つの状態画像を選択する指示の入力を受け付ける手段と、選択された状態画像に画像データを関連付けるリンク指示の入力を受け付けるリンク指示入力手段とを含む。関連付け手段は、リンク指示が入力されると、選択された状態画像に対応する状態信号に画像データを関連付ける。
【００２１】
上記の表示器によると、撮像装置から取り込んだ画像データを任意の状態信号に関連付けることができるため、状態信号に基づくデバイスの分析が容易になる。
【００２２】
好ましくは、リンク指示入力手段は、複数の画像データを、選択された状態画像に関連付ける複数リンク指示の入力を受け付ける。関連付け手段は、複数リンク指示が入力されると、選択された状態画像に対応する状態信号に、複数の画像データを関連付ける。
【００２３】
上記の表示器によると、状態信号に複数の画像データを関連付けられるため、デバイスの状態に関する情報を蓄積することができる。その結果、その信号に基づく分析の精度を向上させることができる。
【００２４】
好ましくは、指示入力手段は、外部からテキストデータの入力を受け付けるための手段をさらに含む。表示器は、テキストデータを画像データに関連付けるためのテキストデータ関連付け手段をさらに含む。
【００２５】
上記の表示器によると、画像データにテキストを付加することができるため、状態信号あるいは画像データだけでは不十分な情報を伝達することができる。
【００２６】
好ましくは、表示器は、指示の入力を受け付けるための指示入力手段とをさらに含む。制御手段は、指示の入力に応じて、撮像装置に格納されているデータに基づいて、撮像装置に格納されている画像データの一覧を表示するための一覧データを取得するための一覧データ取得手段と、一覧データに基づいて、一覧を表示するための画面を表示手段に表示させるための手段とをさらに含む。
【００２７】
上記の表示器によると、撮像装置が接続されると、画像データの一覧が表示されるため、利用者は、煩雑な操作を行なうことなく、画像データの処理（たとえば転送、削除等）を速やかに開始することができる。
【００２８】
この発明の他の局面に従うと、プログラムは、画像の表示手段を備えたコンピュータを、デバイスの状態を表示する機能とデバイスを制御する機能を有する表示器として機能させる。このプログラムはコンピュータに、デバイスを制御するための制御信号を出力するステップと、制御信号に基づく動作に対応する少なくとも１つ以上の状態信号の入力を受け付けるステップと、予め定められた規格に基づいて、外部とのデータ通信のインターフェースをとるステップと、画像データの入力を受け付けるステップと、画像データへのアクセスのためのメニュー画面を表示する画面表示データと、状態信号に関連付けられ、デバイスの状態を表わす状態画像を表示するための画像表示データとを予め準備するステップと、画像表示データに基づいて、表示手段に状態画像を表示させるステップと、デジタル形式の画像データを出力する撮像装置が接続ステップに接続されたことを検出するステップと、撮像装置の接続の検出に応じて、画面表示データに基づいて、状態画像の表示から、メニュー画面の表示へ切り替えるように、表示手段を制御するステップとを実行させる。
【００２９】
上記のプログラムがコンピュータによって実行されると、そのコンピュータは、表示器としての動作を実行する。撮像装置がそのコンピュータに接続されると、撮像装置に格納されている画像データへのアクセスのためのメニュー画面が表示される。これにより、使用者は、複雑な操作を実行することなく、画像データの処理（たとえば転送処理等）を実行することができる。
【００３０】
この発明のさらに他の局面に従うと、記録媒体は、画像の表示手段を備えたコンピュータを、デバイスの状態を表示する機能とデバイスを制御する機能を有する表示器として機能させるためのプログラムを格納した、コンピュータ読取可能な記録媒体である。
【００３１】
上記の記録媒体がコンピュータに装着され、上記のプログラムが読み出されて実行されると、コンピュータは表示器としての動作を実行する。撮像装置がそのコンピュータに接続されると、撮像装置に格納されている画像データへのアクセスのためのメニュー画面が表示される。これにより、使用者は、そのコンピュータにおいて、複雑な操作を実行することなく、画像データの処理（たとえば転送処理等）を実行することができる。
【発明の効果】
【００３２】
本発明に係る表示器によると、画像データを出力する撮像装置がその表示器に接続されると、その画像データにアクセスするための画面が表示される。したがって、使用者が撮像装置からの画像データの取込操作に不慣れであっても、撮像装置から表示器への画像データの取り込みを容易にすることができる。
【００３３】
本発明に係る表示器によると、デバイスの状態を表わす状態データと画像データとを対応付けて記憶することができるため、その状態、特に異常時において、デバイスの外観を状態データに対応付けることができる。その結果、デバイスの挙動の分析その他、異常時の分析を容易にすることができる。
【００３４】
本発明に係るプログラムによると、コンピュータは、画像データの取込時の操作性を向上させることができる表示器として作動することができる。撮像装置がそのコンピュータに接続されると、その画像データにアクセスするための画面が表示される。したがって、使用者が撮像装置からの画像データの取込操作に不慣れであっても、撮像装置からコンピュータへの画像データの取り込みを容易にすることができる。
【００３５】
本発明に係る記録媒体によると、コンピュータは、画像データの取込時の操作性を向上させることができる表示器として作動できるプログラムを取り込むことができる。コンピュータがそのプログラムを実行している間に、撮像装置がそのコンピュータに接続されると、その画像データにアクセスするための画面がコンピュータの表示装置に表示される。したがって、使用者が撮像装置からの画像データの取込操作に不慣れであっても、撮像装置からコンピュータへの画像データの取り込みを容易にすることができる。
【発明を実施するための最良の形態】
【００３６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３７】
＜第１の実施の形態＞
以下、本発明の第１の実施の形態に係る表示器１００について説明する。図１は、本実施の形態に係る表示器１００がケーブル１９０を介してデジタルカメラ１２００に接続されている状態を表わす図である。
【００３８】
図１に示すように、表示器１００は、外部から信号の入力を受付けるための入力部１６０と、信号の入力を受けて予め定められた処理を実行するための制御部１１０と、表示用データを一時的に格納するためのメモリ１３０と、予め作成されたプログラムとデータと生成されたデータとを記憶するための記憶部１４０と、表示用データに基づいて画像を表示するためのモニタ１２０と、着脱可能な記憶媒体を駆動してデータを読み出したり書き込んだりするための記憶媒体駆動部１５０とを含む。記憶媒体駆動部１５０には、メモリカードその他の記憶媒体１５２が装着される。記憶媒体１５２は、特定の媒体に限られない。
【００３９】
制御部１１０は、外部から入力される信号に基づいてデータ処理用の信号に変換するための入力処理部１１１と、入力部１６０にデジタルカメラ１２００が接続されたことを検知するための接続検知部１１２と、入力部１６０を介して入力される画像データおよび記憶部１４０に格納されている画像データに基づいて所定の処理を実行するための画像データ処理部１１３と、画像データ処理部１１３により処理されたデータを出力用のデータに変換するための出力処理部１１４と、記憶部１４０からデータを読み出すためのデータ読出部１１５と、外部から入力される画像データとテキストデータとを関連付けて表示器１００に接続されるデバイスの状態を表わすデータを生成するための関連データ生成部１１６と、記憶媒体駆動部１５０に装着される記憶媒体１５２のデータ領域へのデータの書込および読出を制御するためのメモリカードアクセス処理部１１７とを含む。
【００４０】
制御部１１０は、後述するようにたとえばＣＰＵ（Central Processing Unit）、ＭＰＵ（Micro Processing Unit）、その他の演算処理回路によって構成される。また、制御部１１０が有する各部の構成は、図１に示す態様に限られない。たとえば制御部１１０がＣＰＵにより実現される場合には、そのＣＰＵが実行するプログラムに各部の機能を実現するためのサブプログラムを含めることにより、それぞれの機能が実現される。
【００４１】
入力処理部１１１は、予め定められた規格に基づいて画像データを通信することができる。この規格は特に限られず、少なくともデジタルカメラ１２００が有する画像データの通信に関する規格と同じであれば良い。
【００４２】
入力部１６０は、ＵＳＢ−ＩＦ（Interface）１８０と、表示器１００のオペレータが指示を入力するための操作部１０４とを含む。操作部１０４は、たとえばキーボード、マウス、あるいはタッチパネル等である。
【００４３】
記憶部１４０は、予め作成されたプログラムと、外部から入力される画像データとを記憶するためのデータ記憶部１４２と、表示器１００に接続されるデバイスのデータを記憶するためのデバイスデータ記憶部１４４とを含む。記憶部１４０は、たとえば固定ディスク、フラッシュメモリその他の情報記録媒体である。なお、記憶部１４０の構成は、図１に示した態様に限られず、データ記憶部１４２およびデバイスデータ記憶部１４４が同一の記憶部により構成されるものであっても良い。
【００４４】
表示器１００には、ケーブル１９０を介してデジタルカメラ１２００が接続される。デジタルカメラ１２００は、レンズ（図示しない）を介して被写体を撮影して映像信号を出力するための撮像部１２１０と、撮像部１２１０からの信号に基づいて予め定められた画像データ処理を実行するための画像データ生成部１２２０と、外部とのデータ通信のインターフェイスを取るためのＵＳＢ−ＩＦ１２３０とを含む。
【００４５】
なお、本実施の形態に係る表示器１００は、少なくともデバイスの状態を表示する機能を有するものであるが、このような表示器に限られない。たとえばデバイスに制御信号を出力してそのデバイスの動作を制御する機能を有するものであっても良い。
【００４６】
図２を参照して、本実施の形態に係る表示器１００を実現するためのコンピュータ２００の構成について説明する。図２は、コンピュータ２００のハードウェア構成を表わすブロック図である。
【００４７】
コンピュータ２００は、マウス２０２と、キーボード２０４と、モニタ２２０と、メモリ２３０と、ＣＰＵ２１０と、固定ディスク２４０と、通信ＩＦ２７０と、メモリカードドライブ２５０と、ＵＳＢ−ＩＦ２８０と、ＣＤ−ＲＯＭ駆動装置２６０とを含む。メモリカードドライブ２５０にはメモリカード２５２が装着される。ＣＤ−ＲＯＭ駆動装置２６０には、ＣＤ−ＲＯＭ２６２が装着される。
【００４８】
図１を参照して説明したように、制御部１１０における処理は、その処理を実現するために予め作成されたソフトウェアをＣＰＵ２１０により実行させることによっても実現することができる。このようなソフトウェアは、予めハードウェアに記憶されている場合もあれば、ＣＤ−ＲＯＭ２６２その他の記録媒体に格納されて流通し、ＣＤ−ＲＯＭ駆動装置２６０によりその記録媒体から読取られてプログラムを格納する固定ディスク２４０に一旦格納される場合もある。そのソフトウェアは、固定ディスク２４０からメモリ２３０に読み出されて、ＣＰＵ２１０により実行される。図２に示したコンピュータ２００のハードウェア構成は、一般的なものである。したがって、本発明の最も本質的な部分は、固定ディスク２４０、ＣＤ−ＲＯＭ２６２その他の記録媒体に格納されたソフトウェアであるともいえる。なお、コンピュータ２００の動作は周知であるため、ここではその説明は繰り返さない。
【００４９】
図３を参照して、本実施の形態に係る表示器１００におけるデータ構造について説明する。図３は、表示器１００の記憶部１４０に格納される、表示器１００を実現するためのプログラムの構成の一態様を表わす図である。
【００５０】
図３において、コンピュータ２００に所定の動作を実行させるためのオペレーティングシステムは、データ領域Ｄ３１０に格納される。外部から入力される情報を取得するための入力情報取得プログラムは、データ領域Ｄ３２０に格納される。予め作成されたデータあるいは逐次取得されたデータに基づいて所定の画面を表示するための画面表示プログラムは、データ領域Ｄ３３０に格納される。デジタルカメラ１２００から入力される画像データを編集するための画像データ処理プログラムは、データ領域Ｄ３４０に格納される。なお、表示器１００に所定の動作を実行させるためのプログラムの格納の態様は、図３に示したものに限られず、その他の態様であってもよい。
【００５１】
図４を参照して、本実施の形態に係る表示器１００におけるデータ構造についてさらに説明する。図４は、表示器１００のデータ記憶部１４２に格納される、モニタ１２０に所定の画面を表示させるためのデータ構造を概念的に表わす図である。
【００５２】
図４において、モニタ１２０に所定の画像を表示させるためのデータは、データ領域Ｄ４０２，Ｄ４０６〜Ｄ４５２に格納される。また、各画像のモニタ１２０における表示位置を特定するためのデータは、データ領域Ｄ４０４，Ｄ４０８〜Ｄ４５２に格納される。すなわち、それぞれの画像データとその表示位置とが対応付けられて格納されている。制御部１１０がこのようなデータを読み出し、そしてメモリ１３０の所定の領域に書込むことにより、モニタ１２０は、表示器１００に接続されるデバイスの状態を表示する画面を示すことができる。なお、この具体的な画面の例については図７において説明する。
【００５３】
図５を参照して、表示器１００におけるデータ構造についてさらに説明する。図５は、表示器１００のデバイスデータ記憶部１４４に格納される、デバイスの状態を表わすデータ構造の一態様を概念的に表わす図である。
【００５４】
図５において、各デバイスの状態を表わすデータレコードは、データの項目としてたとえば、ログ番号と、記録日時と、デバイス名と、変数名と、事象と、関連データアドレスと、テキストデータとを含む。ログ番号は、予め定められた規則に基づいて表示器１００にデバイスからのデータの入力に基づいて付与される。記録日時は、入力されたデータを書き込むときに取得される時刻データを表わす。この時刻データは、たとえば入力処理部１１１に時計機能を実現させることにより取得される。
【００５５】
デバイス名は、表示器１００が受信するデータの送信元であるデバイスの名称を表わす。変数名は、そのデバイスを制御するために予め設定されている命令の名称を表わす。事象は、変数における動作の状態を表わす。この状態には、正常および異常その他の情報が含まれる。関連データアドレスは、このデータレコードに関連付けられるデータの有無およびそのようなデータがある場合にはそのデータが格納されているアドレスを表わす。
【００５６】
テキストデータは、このデータレコードに関連付けて入力されたテキストデータを表わす。すなわち表示器１００のオペレータが、特定のデータレコードに対してテキスト（たとえば申し送り事項、その他のメモ）を入力すると、そのデータは所定のログに関連付けて記憶される。
【００５７】
たとえば、データレコードＲ５１０を参照して、ログ番号「０００１」のデータは、ＹＹＹＹ年ＭＭ月ＤＤ日のｈｈ時ｍｍ分ｓｓ秒に格納されたことを表わす。また、このデータは第１ラインのデータである。その対象は、「ＳＷ１」におけるデータである。このときの変数「ＳＷ１」についての第１ラインは、「正常」である。また、このログに対して関連データはこれまでのところ付与されていない。この場合、データ項目として、たとえば「ＮＵＬＬ」を表わすデータが格納されている。また、このログに対して参考情報として「ａｂｃｄｅｆｇ…」というメモ情報が入力されている。このメモ情報は、表示器１００のオペレータが入力したデータである。
【００５８】
同様にデータレコードＲ５２０を参照して、ログ番号「０００２」のデータは、２００４年２月１９日１２時３４分５６秒に記憶されている。この第１ラインにおける「ＳＷ１」の状態は異常の状態である。また、このログに関連付けられているデータのアドレスは、「ａｂｃｄ」である。また、このログに対して「トラブル発生…」というテキストデータが入力されている。このテキストデータは、表示器１００のオペレータにより入力されるものである。なお、テキストデータは、オペレータ等がすべて入力するものでなくても良い。たとえば、予めテキストデータを準備しておき、オペレータが該当するデータを選択するようにしても良い。このようにすると、入力ミスの発生を防止することができると共に、特定の事象についての集計その他の分析を容易にすることができる。
【００５９】
図６を参照して、本実施の形態に係る表示器１００の制御構造について説明する。図６は、表示器１００の制御部１１０が実行する処理の手順を表わすフローチャートである。この処理は、データ記憶部１４２に格納されているプログラムが実行されることにより実現される。
【００６０】
ステップＳ６１０にて、制御部１１０は、入力部１６０からの信号に基づいて、デジタルカメラ１２００が接続されたことを検知する。ステップＳ６２０にて、制御部１１０は、データ記憶部１４２からメニューデータを読み出す。ステップＳ６３０にて、制御部１１０は、読み出したメニューデータをメモリ１３０に書込む。その結果、モニタ１２０は、メモリ１３０に格納されているデータに基づいて、デジタルカメラ１２００に格納されている画像データを処理するためのメニュー画面を表示する。
【００６１】
以上のような構造およびフローチャートに基づく、本実施の形態に係る表示器１００の動作について、図７を参照しつつ説明する。図７は、モニタ１２０に表示される画面を表わす図である。
【００６２】
オペレータがケーブル１９０を介してデジタルカメラ１２００を表示器１００に接続すると、制御部１１０は、その接続を検知する（ステップＳ６１０）。メニュー画面を表示するためのメニューデータ（図４）が読み出され（ステップＳ６２０）、読み出されたデータは、メモリ１３０の所定の領域に書き込まれる（ステップＳ６３０）。その結果、モニタ１２０は、そのデータに対応するメニュー画面を表示する（図７）。
【００６３】
図７を参照して、図４のデータ領域Ｄ４０２に格納されているデータは、データ領域Ｄ４０４の表示位置特定用データによって特定される位置に表示される。表示７０２は、上記のデータに基づいて表示される画面のタイトルを表わす。
【００６４】
同様に、データ領域Ｄ４０６に格納されている画像データは、データ領域Ｄ４０８の表示位置特定用データによって特定される位置に表示される。表示７１０は、上記の各データに基づいて表示される画像を表わす。さらに、表示７２０〜７９０までの各画像および表示７０４〜７０８までのメニュー画像も、同様に図４に示したデータに基づいて表示される。
【００６５】
以上のようにして本実施の形態に係る表示器１００によると、オペレータがデジタルカメラ１２００を表示器１００のＵＳＢ−ＩＦ１８０に接続すると、その接続は検知されデジタルカメラに格納されている画像データを処理するためのメニュー（図７）がモニタ１２０に表示される。オペレータは、モニタ１２０に表示されたメニュー（すなわち画像データアクセスメニュー）に基づいてデジタルカメラ１２００に格納されている画像データを読み出して、そのデータと、表示器１００が受信するデバイスのデータとの関連付けその他の処理を実行することができる。このようにすると、表示器１００が受信するデータの送信元であるデバイスに関し、状態を表わすデータに加えてオペレータが撮影した画像を対応付けて記憶したり必要な情報を入力することが容易にできる。これにより、表示器１００の操作性および利便性が向上する。
【００６６】
＜第２の実施の形態＞
以下、本発明の第２の実施の形態について説明する。本実施の形態に係る表示器１００は、複数の画像データを同一のログデータに関連付けて記憶する機能を有する点で、第１の実施の形態と異なる。なお、この機能は、本実施の形態に係る表示器１００のハードウェア構成を変更することなく、制御部１１０が実行するプログラムを変更することにより実現され得る。したがって、ここでは表示器１００のハードウェア構成についての説明は、繰り返さない。
【００６７】
図８を参照して、本実施の形態に係る表示器１００におけるデータ構造について説明する。図８は、データ記憶部１４２に格納される画像データの格納の一態様を表わす図である。この画像データは、デバイス（図示しない）の状態を表わすログデータに関連付けられて記憶される。
【００６８】
図８において、たとえばログ番号「０００２」のログデータに関連付けられて格納される画像データは、データ領域Ｄ８１０とＤ８２０とに格納されている。すなわち、入力される画像データに対してログ番号を含むデータの名称が各画像データに与えられて、逐次所定の領域に格納される。その結果、複数の画像データが１つのログデータに関連付けて記憶される。このようにすると、ログ番号が入力されたときにそのログ番号に対応する画像データをすべて検索することができる。
【００６９】
また、特定の事象（たとえば異常発生）に対する状態の変化、あるいは取り得る処置が相互に関連付けられ得る。したがって、たとえば、表示器１００のオペレータが交替する時あるいはデバイスの特定の部分についての履歴を取得する場合において、オペレータは、デバイスの特定の状態に対して、時系列データを関連づけて記憶することができる。これにより、オペレータは、デバイスの状態を表わすデータと、時間をおいて取得された複数の画像データとに基づいて、デバイスの稼動状態等を分析できるため、詳細な分析が可能になる。
【００７０】
図９を参照して、本実施の形態に係る表示器１００の制御構造について説明する。図９は、制御部１１０が実行する処理の手順を表わすフローチャートである。なお、前述の第１の実施の形態における処理と同一の処理には同一のステップ番号を付し、それらについての説明は繰返さない。
【００７１】
ステップＳ９０８にて、制御部１１０は、入力部１６０に対する入力に基づいてログの表示指示を検知する。ステップＳ９１０にて、制御部１１０は、その指示に基づいて特定のログデータを読み出す。このログデータの読み出しは、入力された指示に含まれるログの名称、あるいは発生時刻その他の情報により読み出しの対象を特定することにより行なわれる。
【００７２】
ステップＳ９１２にて、制御部１１０は、入力部１６０を介した入力に基づいて特定のログが選択されたことを検知する。ステップＳ９１４にて、制御部１１０は、デジタルカメラ１２００から読出された画像データを検知する。この検知は、たとえば入力データがＵＳＢ−ＩＦ１８０を介して入力されること、あるいは入力データのデータ形式が画像データであることを検知することにより行なわれる。
【００７３】
ステップＳ９１６にて、制御部１１０は、ログデータと画像データとを関連付ける。この関連付けは、たとえばログデータの所定のデータ領域（たとえば図５に示した「関連データアドレス」）に、選択された画像データが格納されているアドレスを格納することにより行なわれる。なお、本実施の形態に係る表示器１００は、複数の画像データを関連付けて記憶することができるため、図５に示した「関連データアドレス」のデータ領域は、その関連付けに応じて、追加可能である。ステップＳ９１８にて、制御部１１０は、関連付けられたログデータをデバイスデータ記憶部１４４に保存する。
【００７４】
以上のような構造およびフローチャートに基づく、本実施の形態に係る表示器１００の動作について説明する。なお、前述の第１の実施の形態における動作と同じ動作と説明はここでは繰り返さない。
【００７５】
オペレータがデジタルカメラ１２００を表示器１００のＵＳＢ−ＩＦ１８０に接続すると、メニューデータがモニタ１２０に表示される（ステップＳ６３０）。オペレータがそのメニュー画面においてログの表示指示のメニューを選択すると（ステップＳ９０８）、該当するログデータがデバイスデータ記憶部１４４から読み出され、ログの一覧がモニタ１２０に表示される。オペレータがそのログの一覧から、特定のログを選択して確定ボタン（図示しない）を押下すると（ステップＳ９１２）、制御部１１０は、その選択されたログのデータをメモリ１３０のワーク領域（一時作業領域）に読み出す。
【００７６】
オペレータが、さらにデジタルカメラ１２００の画像データの読出処理を実行して、特定の画像データを読み出すと（ステップＳ９１４）、その画像データもメモリ１３０の他のワーク領域に一時的に格納される。オペレータがログデータと画像データとを関連付けるための所定の処理を実行すると、ログデータと画像データとが関連付けられる。たとえば、オペレータが画像データを識別する番号（たとえば画像データのファイル名称）をログデータの所定の領域に入力すると、ログデータは、その画像データを識別するための情報を有することになる。このようにして画像データが関連付けられたログデータは、デバイスデータ記憶部１４４の所定の領域に格納される。
【００７７】
オペレータがそのログデータに対してさらに他の画像データを関連付けたい場合には、さらに他の画像データを読み出して、同様の関連付け処理を繰り返し実行すればよい（ステップＳ９１４〜ステップＳ９１８）。
【００７８】
以上のようにして、本実施の形態に係る表示器１００によると、同一のログデータに対し複数の画像データを関連付けることができる。この関連付け処理は、オペレータがデジタルカメラ１２００を表示器１００のＵＳＢ−ＩＦ１８０に接続したときに自動的に開始される。したがって、オペレータは煩雑な処理を実行することなく外部から画像データを取り込み、さらに予め格納されている内部のデータに対する関連付けを容易に行なうことができる。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８０】
本発明は、デバイスの状態を表示する機能を有する表示器、特に、画像データの通信に関する標準規格を有する表示器に提供可能である。
【図面の簡単な説明】
【００８１】
【図１】本発明の第１の実施の形態に係る表示器の構成を表わす機能ブロック図である。
【図２】本発明の第１の実施の形態に係る表示器の具体的な構成を表わすブロック図である。
【図３】本発明の第１の実施の形態に係る表示器におけるデータ構造を表わす図（その１）である。
【図４】本発明の第１の実施の形態に係る表示器におけるデータ構造を表わす図（その２）である。
【図５】本発明の第１の実施の形態に係る表示器におけるデータ構造を表わす図（その３）である。
【図６】本発明の第１の実施の形態に係る表示器が実行する処理の手順を表わすフローチャートである。
【図７】本発明の第１の実施の形態に係る表示器のモニタが表示する画面を表わす図である。
【図８】本発明の第２の実施の形態に係る表示器におけるデータ構造を表わす図である。
【図９】本発明の第２の実施の形態に係る表示器が実行する処理の手順を表わすフローチャートである。
【符号の説明】
【００８２】
１００  表示器、１０４  操作部、１１１  入力処理部、１１２  接続検知部、１１３  画像データ処理部、１１４  出力処理部、１１５  データ読出部、１１６  関連データ生成部、１１７  メモリカードアクセス処理部、１２０，２２０  モニタ、１４２  データ記憶部、１４４  デバイスデータ記憶部、１５０  記憶媒体駆動部、１５２  メモリカード、１８０，２８０，１２３０  ＵＳＢ−ＩＦ、１９０  ケーブル、２０２  マウス、２０４  キーボード、２１０  ＣＰＵ、２３０  メモリ、２４０  固定ディスク、２５０  メモリカードドライブ、２５２  メモリカード、２６０  ＣＤ−ＲＯＭ駆動装置、２６２  ＣＤ−ＲＯＭ、２７０  通信ＩＦ、１２００  デジタルカメラ、１２１０  撮像部、１２２０  画像データ生成部。
【図１】
2005266688.tif 000003
【図２】
2005266688.tif 000004
【図３】
2005266688.tif 000005
【図４】
2005266688.tif 000006
【図５】
2005266688.tif 000007
【図６】
2005266688.tif 000008
【図７】
2005266688.tif 000009
【図８】
2005266688.tif 000010
【図９】
2005266688.tif 000011